(57)【要約】  アンテナが作動するときに、アンテナからタッチセンサー（タッチパネル用電極）に誘発されるノイズを適切に低減し、かつ、製造コストを低減させることができるタッチパネル用デバイスを実現する。タッチパネル付き表示装置１００は、共存導電層Ｌ＿Ｙ＿Ａｎｔと、Ｘ軸方向電極層Ｌ＿Ｘと、を備える。共存導電層Ｌ＿Ｙ＿Ａｎｔは、タッチパネル用の第１センサー電極パターンとアンテナパターンとを含む。Ｘ軸方向電極層Ｌ＿Ｘは、平面視において、第１センサー電極パターンと交差するように配置されるタッチパネル用の第２センサー電極パターンを含む。アンテナパターンは、平面視において、アンテナパターンの少なくとも一部が、第１センサー電極パターンと斜めに交差するように形成されている。
2017119442.tif 000002
【特許請求の範囲】
【請求項１】
タッチパネル用の第１センサー電極パターンを含む第１電極層と、
タッチパネル用の第２センサー電極パターンとアンテナパターンとを含む第２電極層であって、平面視において、前記アンテナパターンの少なくとも一部が、前記第１センサー電極パターンと斜めに交差するように配置されている前記第２電極層と、
を備えるタッチパネル用デバイス。
【請求項２】
前記第２センサー電極パターンは、Ｎ個（Ｎ：自然数）の第１方向電極パターンを備え、
前記Ｎ個の第１方向電極パターンのうち、Ｋ個（Ｋ：自然数、Ｋ＜Ｎ）の第１方向電極パターンは、それぞれ、第１導電パターンと、前記第１導電パターンから離間して配置されている第２導電パターンとを含む、
請求項１に記載のタッチパネル用デバイス。
【請求項３】
前記アンテナパターンの少なくとも一部は、前記第１導電パターンと前記第２導電パターンとの間の領域に配置されている、
請求項２に記載のタッチパネル用デバイス。
【請求項４】
少なくとも前記第２電極層に接続される基板をさらに備え、
前記第１導電パターンと前記第２導電パターンとの接続が前記基板にて行われる、
請求項３に記載のタッチパネル用デバイス。
【請求項５】
前記アンテナパターンは、平面視において、ループアンテナを形成できるように配置されている、
請求項４に記載のタッチパネル用デバイス。
【請求項６】
前記第２導電パターンは、平面視において、前記ループアンテナが形成されている領域の内部に形成されている、
請求項５に記載のタッチパネル用デバイス。
【発明の詳細な説明】
【技術分野】
【０００１】
本発明は、画像等を表示させるための領域（表示領域）に近距離無線通信用のアンテナパターンを備えるタッチパネル用デバイスに関する。
【背景技術】
【０００２】
近年、電源を含まず無線通信用のアンテナ素子を内蔵したＩＣカード（非接触型ＩＣカード）と、電源を備える通信装置との間において、ＩＣカードと通信装置とを接触させることなく、両者間で近距離通信を行う技術がよく用いられている。例えば、通信装置と非接触型ＩＣカードとの間において、無線通信（近距離通信）を行う場合、通信装置のアンテナ素子と、非接触型ＩＣカードとが所定の距離以下となるように、非接触型ＩＣカードを通信装置に近づける。通信装置は、電源を有しており、通信装置に内蔵されている近距離無線通信用アンテナ素子に給電することで、当該アンテナ素子により磁界が発生する。そして、非接触型ＩＣカードを通信装置に近づけることで、通信装置が発生させた磁界により、非接触型ＩＣカードのアンテナ素子に誘導電流が流れる。これにより、通信装置から非接触型ＩＣカードに電力供給することができる。そして、非接触型ＩＣカードは、誘導電流により発生した起電力を用いて、非接触型ＩＣカード内の回路（例えば、ＩＣチップ）を動作させる。このようにして、非接触型ＩＣカードを通信装置に近づけることで、非接触型ＩＣカードと通信装置との間において、無線通信（近距離通信）を行うことができる。【０００３】
一般的に、アンテナ素子は、導電性を確保するために、導電率の高い金属（銅や銀）で形成されることが多い。このような金属は、光を透過しないので、画像や映像を表示する表示デバイスにおいて、その表示部にアンテナ素子を形成させると、画像や映像を形成する光が遮断されてしまう。【０００４】
このような問題を解決するために、特許文献１には、メッシュ状のアンテナパターンを透明基材上に形成させ、アンテナ機能を実現させるための導電性と、透明性との両方を確保する技術が開示されている。
【先行技術文献】
【特許文献】
【０００５】
【特許文献１】特開２０１１−０６６６１０号公報
【発明の概要】
【発明が解決しようとする課題】
【０００６】
例えば、上記技術を用いて、タッチパネル付き表示装置に、アンテナを搭載しようとした場合、タッチパネル用のＸ軸方向センス電極を形成した第１電極層と、タッチパネル用のＹ軸方向センス電極（平面視でＸ軸方向センス電極と交差するように配置されるＹ軸方向センス電極）を形成した第２電極層と、アンテナパターンを形成したアンテナパターン用導電層と、を設けることで、タッチパネル付き表示装置を構成することが考えられる。【０００７】
例えば、上記技術を用いて、タッチパネル付き表示装置に、アンテナを搭載しようとした場合、タッチパネル用のＸ軸方向センス電極を形成した第１電極層と、タッチパネル用のＹ軸方向センス電極（平面視でＸ軸方向センス電極と交差するように配置されるＹ軸方向センス電極）を形成した第２電極層と、アンテナパターンを形成したアンテナパターン用導電層と、を設けることで、タッチパネル付き表示装置を構成することが考えられる。【０００８】
図１２は、上記技術を用いた場合のタッチパネル付き表示装置９００の概略構成図である。【０００９】
なお、図１２に示すように、Ｘ軸、Ｙ軸が設定されるものとする。【００１０】
図１２の上図は、タッチパネル付き表示装置９００の平面図であり、図１２の下図は、Ａ−Ａ線によるＡ−Ａ断面図である。図１２の上図に示した領域ＡＲ１は、（画像等が表示される）表示領域（表示面）である。【００１１】
図１２に示すように、タッチパネル付き表示装置９００は、筐体９１と、回路部９２と、表示パネルＤＰと、アンテナパターン用導電層Ｌ＿Ａｎｔと、第２電極層（Ｙ軸方向電極層）Ｌ＿Ｙと、第１電極層（Ｘ軸方向電極層）Ｌ＿Ｘと、カバー９４と、を備える。【００１２】
図１３は、タッチパネル付き表示装置９００の第１電極層（Ｘ軸方向電極層）Ｌ＿Ｘの平面図（上図）と、タッチパネル付き表示装置９００の第２電極層（Ｙ軸方向電極層）Ｌ＿Ｙの平面図（中図）と、アンテナパターン用導電層Ｌ＿Ａｎｔの平面図（下図）と、を示した図である。【００１３】
第１電極層（Ｘ軸方向電極層）Ｌ＿Ｘは、図１３に示すように、絶縁物質からなる基材（例えば、ＰＥＴ（ポリエチレンテレフタレート））上に形成された８個の導電パターンＥｘ１〜Ｅｘ８を備える。導電パターンＥｘ１〜Ｅｘ８は、それぞれ、横方向（Ｘ軸方向）に細長い形状を有する。【００１４】
第２電極層（Ｙ軸方向電極層）Ｌ＿Ｙは、図１３に示すように、絶縁物質からなる基材（例えば、ＰＥＴ（ポリエチレンテレフタレート））上に形成された１４個の導電パターンＥｙ１〜Ｅｙ１４を備える。導電パターンＥｙ１〜Ｅｙ１４は、それぞれ、縦方向（Ｙ軸方向）に細長い形状を有する。【００１５】
アンテナパターン用導電層Ｌ＿Ａｎｔは、図１３に示すように、絶縁物質からなる基材（例えば、ＰＥＴ（ポリエチレンテレフタレート））上に形成されたアンテナパターンＡｎｔを備える。アンテナパターンＡｎｔは、図１２に示すように、２つの端子Ｐ１、Ｐ２を有しており、端子Ｐ１、Ｐ２は、マッチング調整を行う整合部（例えば、マッチング調整回路）に接続される。【００１６】
上記のように従来技術を用いて実現されるタッチパネル付き表示装置９００では、アンテナパターンが形成されている層と、第１電極層あるいは第２電極層とは、絶縁層で分離されている。しかしながら、アンテナパターンが形成されている層と、第１電極層あるいは第２電極層とは、比較的近い距離に配置されている。このため、ので、タッチパネル付き表示装置９００において、アンテナ性能を向上させようとした場合、アンテナパターンから、第１電極層や第２電極層にノイズを誘発するという問題がある。【００１７】
また、タッチパネル付き表示装置９００では、アンテナパターンＡｎｔを形成する導電層を別途設ける必要があるので、製造コストが高くなるという問題点もある。【００１８】
そこで、本発明は、上記問題点に鑑み、アンテナが作動するときに、アンテナからタッチセンサー（タッチパネル用電極）に誘発されるノイズを適切に低減し、かつ、製造コストを低減させることができるタッチパネル用デバイスを実現することを目的とする。
【課題を解決するための手段】
【００１９】
上記課題を解決するために、第１の構成は、第１電極層と、第２電極層と、を備えるタッチパネル用デバイスである。【００２０】
第１電極層は、タッチパネル用の第１センサー電極パターンを含む。【００２１】
第２電極層は、タッチパネル用の第２センサー電極パターンとアンテナパターンとを含み、平面視において、アンテナパターンの少なくとも一部が、第１センサー電極パターンと斜めに交差するように配置されている。
【発明の効果】
【００２２】
本発明によれば、アンテナが作動するときに、アンテナからタッチセンサー（タッチパネル用電極）に誘発されるノイズを適切に低減し、かつ、製造コストを低減させることができるタッチパネル用デバイスを実現することができる。
【図面の簡単な説明】
【００２３】
【図１】第１実施形態に係るタッチパネル付き表示装置１００の概略構成を模式的に示す図。
【図２】第１実施形態の共存電極層Ｌ＿Ｙ＿Ａｎｔの平面図。
【図３】第１実施形態の共存電極層Ｌ＿Ｙ＿Ａｎｔの一部を拡大して示した平面図。
【図４】第１実施形態の共存電極層Ｌ＿Ｙ＿Ａｎｔの平面図の一部と、回路部２との一部の概略構成を模式的に示した図。
【図５】第１実施形態のＸ軸方向電極層Ｌ＿Ｘの平面図。
【図６】第２実施形態の共存電極層Ｌ＿Ｙ＿Ａｎｔの平面図。
【図７】第２実施形態の共存電極層Ｌ＿Ｙ＿Ａｎｔの一部を拡大して示した平面図。
【図８】第３実施形態の共存電極層Ｌ＿Ｙ＿Ａｎｔの平面図。
【図９】第３実施形態の共存電極層Ｌ＿Ｙ＿Ａｎｔの一部を拡大して示した平面図。
【図１０】第４実施形態の共存電極層Ｌ＿Ｙ＿Ａｎｔの平面図。
【図１１】第４実施形態の共存電極層Ｌ＿Ｙ＿Ａｎｔの一部を拡大して示した平面図。
【図１２】従来技術を用いた場合のタッチパネル付き表示装置９００の概略構成図。
【図１３】タッチパネル付き表示装置９００の第１電極層（Ｘ軸方向電極層）Ｌ＿Ｘの平面図と、タッチパネル付き表示装置９００の第２電極層（Ｙ軸方向電極層）Ｌ＿Ｙの平面図と、アンテナパターン用導電層Ｌ＿Ａｎｔの平面図。
【発明を実施するための形態】
【００２４】
［第１実施形態］
第１実施形態について、図面を参照しながら、以下、説明する。
【００２５】
図１は、第１実施形態に係るタッチパネル付き表示装置１００（タッチパネル用デバイスの一例）の概略構成を模式的に示す図（一例）である。具体的には、図１は、タッチパネル付き表示装置１００の平面図（表示面の上方から見た平面図）（上図）と、Ａ−Ａ線によるＡ−Ａ断面図（下図）と、を示している。
【００２６】
タッチパネル付き表示装置１００は、図１に示すように、筐体１と、回路部２と、表示パネルＤＰと、共存導電層Ｌ＿Ｙ＿Ａｎｔ（アンテナパターンとＹ軸方向電極との共存導電層）と、Ｘ軸方向電極層Ｌ＿Ｘと、カバー３と、を備える。
【００２７】
図２は、第１実施形態の共存電極層Ｌ＿Ｙ＿Ａｎｔの平面図（表示面の上方から見た平面図）である。
【００２８】
図３は、第１実施形態の共存電極層Ｌ＿Ｙ＿Ａｎｔの一部を拡大して示した平面図（表示面の上方から見た平面図）である。
【００２９】
図４は、第１実施形態の共存電極層Ｌ＿Ｙ＿Ａｎｔの平面図（表示面の上方から見た平面図）の一部と、回路部２との一部の概略構成を模式的に示した図である。
【００３０】
図５は、第１実施形態のＸ軸方向電極層Ｌ＿Ｘの平面図（表示面の上方から見た平面図）である。
【００３１】
図１〜図５において示したように、Ｘ軸、Ｙ軸を設定する。
【００３２】
筐体１は、図１に示すように、回路基板や電池等を含む回路部２と、表示パネルＤＰ（例えば、液晶表示パネル装置）と、共存導電層Ｌ＿Ｙ＿Ａｎｔと、Ｘ軸方向電極層Ｌ＿Ｘとをその内部に収納することができるように構成されている。
【００３３】
また、筐体１は、図１に示すように、透明なカバー３（絶縁物質で形成されているカバー３）を装着することで、内部にゴミや埃等が進入することを防止する。
【００３４】
回路部２は、回路基板を含み、回路基板上に各種回路が構成されている。回路部２は、図３に示すように、整合部２１と、アンテナ駆動部２２と、を含む。また、回路部２は、例えば、図３に示すように、タッチパネルコントローラＴＣ１を含む。
【００３５】
タッチパネルコントローラＴＣ１は、図２に示す、Ｙ軸方向電極層Ｌ＿Ｙに形成されたＹ軸方向電極Ｅｙ１１〜Ｅｙ４１、Ｅｙ２２〜Ｅｙ４２、Ｅｙ５〜Ｅｙ１４に対して、順次、ドライブ駆動信号を出力し、Ｙ軸方向電極Ｅｙ１１〜Ｅｙ４１、Ｅｙ２２〜Ｅｙ４２、Ｅｙ５〜Ｅｙ１４と、図５に示すＸ軸方向電極パターンＥｘ１〜Ｅｘ８との間に電界を発生させる。そして、タッチパネルコントローラＴＣ１は、Ｘ軸方向電極パターンＥｘ１〜Ｅｘ８から、それぞれ、電界変化に対応する信号値を有するセンス信号を受信し、受信したセンス信号に基づいて、領域ＡＲ１（タッチパネル面）上で指やペン等でタッチされたタッチ点の位置を検知する。
【００３６】
また、回路部２は、例えば、表示パネルＤＰを制御するための表示パネル制御部（不図示）を含む。
【００３７】
整合部２１は、インピーダンス調整を行う回路（インピーダンス調整回路）等を備え、接続用端子ｐａ２、ｐａ４（図４に示す接続用端子ｐａ２、ｐａ４）を介して、共存導電層Ｌ＿Ｙ＿Ａｎｔに形成されているアンテナパターンＡｎｔ＿ｐ１、Ａｎｔ＿ｐ２と接続され、インピーダンス調整を行う。
【００３８】
アンテナ駆動部２２は、図４に示すように、整合部２１と接続されている。アンテナ駆動部２２は、整合部２１を介して、共存導電層Ｌ＿Ｙ＿Ａｎｔに形成されているアンテナパターンＡｎｔ＿ｐ１、Ａｎｔ＿ｐ２を駆動する。アンテナ駆動部２２は、所定の搬送波周波数に所定の変調方式による変調処理を行うことで生成したＲＦ信号を、整合部２１を介して、共存導電層Ｌ＿Ｙ＿Ａｎｔに形成されているアンテナパターンＡｎｔ＿ｐ１、Ａｎｔ＿ｐ２に出力する。また、アンテナ駆動部２２は、共存導電層Ｌ＿Ｙ＿Ａｎｔに形成されているアンテナパターンＡｎｔ＿ｐ１、Ａｎｔ＿ｐ２および整合部２１を介して受信したＲＦ信号に対して、所定の復調処理を実行し、受信したＲＦ信号に含まれる信号（データ等）を取得する。
【００３９】
表示パネルＤＰは、例えば、液晶や有機ＥＬ等を用いた表示パネル（液晶表示パネルや有機ＥＬ表示パネル）である。表示パネルＤＰは、表示パネル制御部（不図示）に接続されており、表示パネル制御部により、駆動制御される。表示パネルＤＰが表示パネル制御部により駆動制御されることで、表示パネルＤＰに、画像等が表示される。
【００４０】
表示パネルＤＰは、図１に示すように、断面視において、回路基板や電池等が収納されている回路部２と、透明なカバー３（例えば、透明なガラス等により形成されているカバー３）との間に、配置されている。
【００４１】
共存導電層Ｌ＿Ｙ＿Ａｎｔ（アンテナパターンとＹ軸方向電極との共存導電層）は、図１〜図４に示すように、絶縁物質からなる基材（例えば、ＰＥＴ（ポリエチレンテレフタレート））上に形成されたアンテナパターンＡｎｔ＿ｐ１、Ａｎｔ＿ｐ２と、Ｙ軸方向電極パターンＥｙ１１〜Ｅｙ４１、Ｅｙ２２〜Ｅｙ４２、Ｅｙ５〜Ｅｙ１４と、を備える（以下、Ｙ軸方向電極パターンＥｙ１１〜Ｅｙ４１、Ｅｙ２２〜Ｅｙ４２、Ｅｙ５〜Ｅｙ１４から形成される全体の電極パターンを示す場合は、当該全体の電極パターンを「Ｙセンサー電極パターン」という）。
【００４２】
共存導電層Ｌ＿Ｙ＿Ａｎｔでは、上述のように、Ｙ軸方向電極パターン、および、アンテナパターンＡｎｔ＿ｐ１、Ａｎｔ＿ｐ２は、同一層（同一基板）上に形成されている。
【００４３】
このため、タッチパネル付き表示装置１００では、従来技術のようにアンテナパターンと電極パターンを分けて作成する必要が無い。その結果、タッチパネル付き表示装置１００では、製造コストを低減させることができる。
【００４４】
Ｘ軸方向電極パターンは、図５に示すように、それぞれ、横方向（Ｘ軸方向）に細長い形状を有する。そして、Ｘ軸方向電極パターンは、それぞれ、導線を介して、タッチパネルコントローラＴＣ１に接続される。
【００４５】
共存導電層Ｌ＿Ｙ＿Ａｎｔと、Ｘ軸方向電極層Ｌ＿Ｘとが重ねて配置されていることにより、Ｘ軸方向電極パターンとＹ軸方向電極パターンの交点には、静電容量が存在する。タッチパネルコントローラＴＣ１は、Ｙ軸方向電極パターンに駆動信号を出力し、駆動信号により励起されるＸ軸方向電極パターンの信号を読み取ることにより、交点の静電容量値を測定する。
【００４６】
交点の静電容量は指やペン等でタッチされることにより減少するため、交点の静電容量値を測定することにより、タッチされた位置を検知することができる。
【００４７】
共存導電層Ｌ＿Ｙ＿Ａｎｔの場合、アンテナパターンとＸ軸方向電極パターンとの距離が近くなり、駆動信号により励起される信号にアンテナからのノイズが混入する。特に、平面視において、アンテナパターンとＸ軸方向電極パターンとが平行となるように配置されている部分が多いと、当該部分において、アンテナパターンからＸ軸方向電極パターンにノイズが誘発されやすい。これを防止するために、平面視において、アンテナパターンとＸ軸方向電極パターンとが平行となる部分を少なくすることで、アンテナパターンからＸ軸方向電極パターンに誘発されるノイズを効果的に低減させることができる。
【００４８】
タッチパネル付き表示装置１００では、上記のように、平面視において、アンテナパターンとＸ軸方向電極パターンとが平行となる部分が少なくなるように構成されている。これにより、タッチパネル付き表示装置１００では、アンテナパターン（アンテナパターンＡｎｔ＿ｐ１、Ａｎｔ＿ｐ２）からＸ軸方向電極パターンに誘発されるノイズを効果的に低減させることができる。
【００４９】
次にアンテナパターンとＸ軸方向電極パターンとが平行となる部分が少なくなるように構成したタッチパネル付き表示装置の具体的なパターンを説明する。
【００５０】
Ｙ軸方向電極パターンは、図２、図３に示すように、それぞれ、縦方向（Ｙ軸方向）に細長い形状を有する。そして、Ｙ軸方向電極パターンＥｙ１１からＥｙ４１とＹ軸方向電極パターンＥｙ１２からＥｙ４２との間に、アンテナパターンＡｎｔ＿ｐ１、Ａｎｔ＿ｐ２のＸ軸方向に対して斜め方向に延びる部分が配置できる領域が設けられている。つまり、図３に示すように、アンテナパターンＡｎｔ＿ｐ１の斜め延設部Ａ１ｂ、Ａ１ｃ、および、アンテナパターンＡｎｔ＿ｐ２の斜め延設部Ｂ１ｂ、Ｂ１ｃを配置できる領域を確保できるように、Ｙ軸方向電極パターンＥｙ１１〜Ｅｙ４１、Ｅｙ１２〜Ｅｙ４２が分離して配置される。
【００５１】
これにより、図３に示すように、アンテナパターンＡｎｔ＿ｐ１の斜め延設部Ａ１ｂ、Ａ１ｃ、および、アンテナパターンＡｎｔ＿ｐ２の斜め延設部Ｂ１ｂ、Ｂ１ｃを配置できる領域を確保することができる。
【００５２】
また、Ｙ軸方向電極パターンは、図４に示すように導線（又は導電パターン）によりタッチパネルコントローラＴＣ１に接続されている。Ｙ軸方向電極パターンＥｙ１１〜Ｅｙ４１、Ｅｙ１２〜Ｅｙ４２は、それぞれ接点ｐ１からｐ４にて接続されることにより、Ｙ軸方向電極パターンＥｙ５〜Ｅｙ１４と同様に、１本の電極として扱うことができる。
【００５３】
さらに、アンテナパターンＡｎｔ＿ｐ１、Ａｎｔ＿ｐ２は、図４の様に、接続端子ｐａ１からｐａ４で接続されており、これにより、端子ｐａ４−アンテナパターンＡｎｔ＿ｐ１―端子ｐａ１―端子ｐａ３―アンテナパターンＡｎｔ＿ｐ２―端子ｐａ２の順で、２重らせん（２回巻らせん）のアンテナパターンが形成される。
【００５４】
Ｙ軸方向電極パターン、および、アンテナパターンＡｎｔ＿ｐ１、Ａｎｔ＿ｐ２は、共存導電層Ｌ＿Ｙ＿Ａｎｔに形成されており、Ｙ軸方向電極パターン、および、アンテナパターンを接続するための配線（配線パターン）も、共存導電層Ｌ＿Ｙ＿Ａｎｔの額縁領域に配置されている。
【００５５】
すなわち、Ｙ軸方向電極パターン、および、アンテナパターンＡｎｔ＿ｐ１、Ａｎｔ＿ｐ２は、同一層（同一基板）上において、１層配線で形成されている。このため上記接点ｐ１からｐ４に接続される配線部、およびｐａ１からｐａ３への配線は、図４に示すように、別基板である回路部２を多層配線可能な基板にして対応している。
【００５６】
アンテナパターンＡｎｔ＿ｐ１、Ａｎｔ＿ｐ２は、斜め方向に延設する部分Ａ１ｂ、Ａ１ｃ、Ｂ１ｂ、Ｂ１ｃを有しているので、平面視において、Ｘ軸方向に形成されているＸ軸方向電極パターンとが重なる領域を小さくすることができる。その結果、アンテナパターンＡｎｔ＿ｐ１およびＡｎｔ＿ｐ２からＸ軸方向電極パターンに誘発されるノイズを低減することができる。
【００５７】
上記アンテナパターンおよびＹ軸方向電極パターンは、ＩＴＯ等により形成される透明導電パターン（透明電極）や、金属細線（例えば、銅）のメッシュパターン等の、光が遮断されない材料にて構成される。
このように、アンテナパターンと電極パターンを形成することで、アンテナパターンと電極パターンにより光が遮断されないことを保証することができる（一定の光の透過性を確保することができる）。また、アンテナパターンと電極パターンを同材料で一括形成することにより製造コストを抑えることが可能である。
【００５８】
［第２実施形態］
次に、第２実施形態について、図面を参照しながら、以下、説明する。
【００５９】
図６は、第２実施形態の共存電極層Ｌ＿Ｙ＿Ａｎｔの平面図（表示面の上方から見た平面図）である。
【００６０】
図７は、第２実施形態の共存電極層Ｌ＿Ｙ＿Ａｎｔの一部を拡大して示した平面図（表示面の上方から見た平面図）である。
【００６１】
図６、図７において示したように、Ｘ軸、Ｙ軸を設定する。
【００６２】
本実施形態のタッチパネル付き表示装置は、第１実施形態のタッチパネル付き表示装置１００の共存電極層Ｌ＿Ｙ＿Ａｎｔ（図２に示した共存電極層Ｌ＿Ｙ＿Ａｎｔ）を、図６に示した共存電極層Ｌ＿Ｙ＿Ａｎｔに置換した構成を有している。
【００６３】
以下では、本実施形態において、第１実施形態と相違する部分について、説明する。
【００６４】
本実施形態の共存電極層Ｌ＿Ｙ＿Ａｎｔには、図６に示すように、Ｙ軸方向電極パターンＥｙ１、Ｅｙ２１〜Ｅｙ９１、Ｅｙ２２〜Ｅｙ９２、Ｅｙ１０〜Ｅｙ１４が形成されている。
【００６５】
また、本実施形態の共存電極層Ｌ＿Ｙ＿Ａｎｔには、図６に示すように、Ｙ字型アンテナパターンを構成するためのアンテナパターンＡｎｔ＿ｐ２１、Ａｎｔ＿ｐ２２が形成されている。
【００６６】
Ｙ軸方向電極パターンは、図６、図７に示すように、それぞれ、縦方向（Ｙ軸方向）に細長い形状を有する。そして、Ｙ軸方向電極パターンＥｙ２１からＥｙ９１とＹ軸方向電極パターンＥｙ２２からＥｙ９２との間に、Ｙ字型パターンアンテナを構成するためのアンテナパターンＡｎｔ＿ｐ２１、Ａｎｔ＿ｐ２２を配置するための領域が設けられている。つまり、図６、図７に示すように、アンテナパターンＡｎｔ＿ｐ２１の斜め延設部Ｃ１ｂ、Ｃ１ｄ、Ｃ１ｅ、Ｃ１ｆ、および、アンテナパターンＡｎｔ＿ｐ２２の斜め延設部Ｄ１ｂ、Ｄ１ｄ、Ｄ１ｅ、Ｄ１ｆを配置できる領域を確保できるように、Ｙ軸方向電極パターンＥｙ２１〜Ｅｙ９１、Ｅｙ２２〜Ｅｙ９２が配置される。
【００６７】
Ｙ軸方向電極パターンは、第１実施形態と同様の方法により、導線（又は導電パターン）によりタッチパネルコントローラＴＣ１に接続されている。
【００６８】
たとえばＹ軸方向電極パターンＥｙ２１とＹ軸方向電極パターンＥｙ２２とは、共存導電層Ｌ＿Ｙ＿Ａｎｔの額縁領域に設けられた配線（導体）により、電気的に接続されている。Ｙ軸方向電極パターンＥｙ３１からＥｙ９１とＹ軸方向電極パターンＥｙ３２からＥｙ９２、についても同様である。
【００６９】
したがって、Ｙ軸方向電極パターンＥｙ２１からＥｙ９１とＹ軸方向電極パターンＥｙ２２からＥｙ９２の２つに分割されたＹ軸方向電極パターンは、Ｙ軸方向電極パターンＥｙ１、Ｅｙ１０〜Ｅｙ１４と同様に、１本の電極として扱うことができる。
【００７０】
Ｙ軸方向電極パターン、および、アンテナパターンＡｎｔ＿ｐ２１、Ａｎｔ＿ｐ２２は、共存導電層Ｌ＿Ｙ＿Ａｎｔに形成されており、Ｙ軸方向電極パターン、および、アンテナパターンを接続するための配線（配線パターン）も、共存導電層Ｌ＿Ｙ＿Ａｎｔの額縁領域に配置されている。
図６では、配線交差部分も同一基板に記載しているが、図面を簡単にするためであり、図4のように配線交差部分は多層配線可能な別基板でおこない、
【００７１】
Ｙ軸方向電極パターン、および、アンテナパターンＡｎｔ＿ｐ２１、Ａｎｔ＿ｐ２２は、同一層（同一基板）上において、１層配線で形成されていることが望ましい。
【００７２】
アンテナパターンＡｎｔ＿ｐ２１、アンテナパターンＡｎｔ＿ｐ２２は、図６〜図７に示すように、平面視で、２重ループアンテナを構成することができるように、形成されている。
【００７３】
具体的には、アンテナパターンＡｎｔ＿ｐ２１は、図７に示すように、平面視で、Ｙ軸方向に延設して形成されている部分Ｃ１ａと、斜め方向（図７の左斜め上方向）に延設して形成されている部分Ｃ１ｂと、連結部Ｃ１ｃと、斜め方向（図７の右斜め下方向）に延設して形成されている部分Ｃ１ｄと、斜め方向（図７の右斜め上方向）に延設して形成されている部分Ｃ１ｅと、連結部Ｃ１ｆと、斜め方向（図７の左斜め下方向）に延設して形成されている部分Ｃ１ｇと、Ｙ軸方向に延設して形成されている部分Ｃ１ｈと、から構成されている。
【００７４】
アンテナパターンＡｎｔ＿ｐ２２は、図７に示すように、平面視で、Ｙ軸方向に延設して形成されている部分Ｄ１ａと、斜め方向（図７の左斜め上方向）に延設して形成されている部分Ｄ１ｂと、連結部Ｄ１ｃと、斜め方向（図７の右斜め下方向）に延設して形成されている部分Ｄ１ｄと、斜め方向（図７の右斜め上方向）に延設して形成されている部分Ｄ１ｅと、連結部Ｄ１ｆと、斜め方向（図７の左斜め下方向）に延設して形成されている部分Ｄ１ｇと、Ｙ軸方向に延設して形成されている部分Ｄ１ｈと、から構成されている。
【００７５】
そして、図７に示すように、アンテナパターンＡｎｔ＿ｐ２１は、アンテナパターンＡｎｔ＿ｐ２２を囲むように、配置されている。
【００７６】
パターンＡｎｔ＿ｐ２１、および、アンテナパターンＡｎｔ＿ｐ２２は、共存導電層Ｌ＿Ｙ＿Ａｎｔ（アンテナパターンとＹ軸方向電極との共存導電層）に形成されている。
【００７７】
そして、パターンＡｎｔ＿ｐ２１、および、アンテナパターンＡｎｔ＿ｐ２２は、図７に示すように、互いに、離間されて配置されている。さらに、パターンＡｎｔ＿ｐ２１、および、アンテナパターンＡｎｔ＿ｐ２２は、図７に示すように、Ｙ軸方向電極パターンが形成されていない領域に配置されている。
【００７８】
パターンＡｎｔ＿ｐ２１、パターンＡｎｔ＿ｐ２２は、斜め方向に延設する部分Ｃ１ｂ、Ｃ１ｄ、Ｃ１ｅ、Ｃ１ｇ、Ｄ１ｂ、Ｄ１ｄ、Ｄ１ｅ、Ｄ１ｇを有しているので、平面視において、Ｘ軸方向に平行に形成されているＸ軸方向電極パターンとが重なる領域を小さくすることができる。その結果、パターンＡｎｔ＿ｐ２１、パターンＡｎｔ＿ｐ２２からＸ軸方向電極パターンに誘発されるノイズを低減することができる。
【００７９】
アンテナパターンＡｎｔ＿ｐ２１、アンテナパターンＡｎｔ＿ｐ２２は図４と同様に別基板上で配線され、２重ループアンテナを構成する。
【００８０】
上記のように、本実施形態のタッチパネル付き表示装置では、平面視において、アンテナパターンとＸ軸方向電極パターンとが平行となる部分が少なくなるように構成されている。これにより、本実施形態のタッチパネル付き表示装置では、アンテナパターン（アンテナパターンＡｎｔ＿ｐ２１、Ａｎｔ＿ｐ２２）からＸ軸方向電極パターンに誘発されるノイズを効果的に低減させることができる。
【００８１】
さらに、本実施形態のタッチパネル付き表示装置では、アンテナパターン（アンテナパターンＡｎｔ＿ｐ２１、Ａｎｔ＿ｐ２２）と、Ｙ軸方向電極パターンとが、１つの層、すなわち、共存導電層Ｌ＿Ｙ＿Ａｎｔに形成されているので、アンテナパターン用の層を別途設ける必要がない。その結果、本実施形態のタッチパネル付き表示装置では、製造コストを低減させることができる。
【００８２】
［第３実施形態］
次に、第３実施形態について、図面を参照しながら、以下、説明する。
【００８３】
図８は、第３実施形態の共存電極層Ｌ＿Ｙ＿Ａｎｔの平面図（表示面の上方から見た平面図）である。
【００８４】
図８において示したように、Ｘ軸、Ｙ軸を設定する。
【００８５】
本実施形態のタッチパネル付き表示装置は、第１実施形態のタッチパネル付き表示装置１００の共存電極層Ｌ＿Ｙ＿Ａｎｔ（図２に示した共存電極層Ｌ＿Ｙ＿Ａｎｔ）を、図８に示した共存電極層Ｌ＿Ｙ＿Ａｎｔに置換した構成を有している。
【００８６】
以下では、本実施形態において、第１実施形態と相違する部分について、説明する。
【００８７】
本実施形態の共存電極層Ｌ＿Ｙ＿Ａｎｔには、図８に示すように、Ｙ軸方向電極パターンＥｙ１１〜Ｅｙ８１、Ｅｙ１２〜Ｅｙ８２、Ｅｙ１３〜Ｅｙ８３、Ｅｙ９〜Ｅｙ１４が形成されている。
【００８８】
また、本実施形態の共存電極層Ｌ＿Ｙ＿Ａｎｔには、図８に示すように、菱形アンテナパターン（平面視において、菱形の形状を有するパターンアンテナ）を構成するためのアンテナパターンＡｎｔ＿ｐ３１が形成されている。
【００８９】
Ｙ軸方向電極パターンは、図８に示すように、それぞれ、縦方向（Ｙ軸方向）に細長い形状を有する。そして、（１）Ｙ軸方向電極パターンＥｙ１１からＥｙ８１とＹ軸方向電極パターンＥｙ１２からＥｙ８２との間の領域と、（２）Ｙ軸方向電極パターンＥｙ１２からＥｙ８２とＹ軸方向電極パターンＥｙ１３からＥｙ８３との間の領域と、に、菱形パターンアンテナを構成するためのアンテナパターンＡｎｔ＿ｐ３１を配置するための領域が設けられている。つまり、図８に示すように、アンテナパターンＡｎｔ＿ｐ３１の斜め延設部Ｅ１ｂ、Ｅ１ｃ、Ｅ１ｄ、および、Ｅ１ｅを配置できる領域を確保できるように、Ｙ軸方向電極パターンＥｙ１１〜Ｅｙ８１、Ｅｙ１２〜Ｅｙ８２、Ｅｙ１３〜Ｅｙ８３が配置される。
【００９０】
図９は、第３実施形態の共存電極層Ｌ＿Ｙ＿Ａｎｔの平面図（表示面の上方から見た平面図）の一部の拡大図である。
【００９１】
図９において示したように、Ｘ軸、Ｙ軸を設定する。
【００９２】
図９に示すように、Ｙ軸方向電極パターンは、導線（又は導電パターン）によりタッチパネルコントローラＴＣ１に接続されている。
【００９３】
具体的には、図９に示すように、Ｙ方向電極パターンＥｙ１２、Ｅｙ２２、Ｅｙ３２、Ｅｙ４２は、それぞれ、導線ｗ１２、ｗ２２、ｗ３２、ｗ４２により、中継基板を介して回路部２に接続されている。
【００９４】
また、図９に示すように、Ｙ方向電極パターンＥｙ５２、Ｅｙ６２、Ｅｙ７２、Ｅｙ８２は、それぞれ、導線ｗ５２、ｗ６２、ｗ７２、ｗ８２により、中継基板を介して回路部２に接続されている。
【００９５】
そして、回路部２の基板上で、Ｙ方向電極パターンＥｙ１１、Ｅｙ１２、Ｅｙ１３は、電気的に接続されている。これにより、Ｙ方向電極パターンＥｙ１１、Ｅｙ１２、Ｅｙ１３は、１本の電極として扱うことができる。
【００９６】
Ｙ方向電極パターンＥｙ２１〜Ｅｙ２３、Ｅｙ３１〜Ｅｙ３３、Ｅｙ４１〜Ｅｙ４３、Ｅｙ５１〜Ｅｙ５３、Ｅｙ６１〜Ｅｙ６３、Ｅｙ７１〜Ｅｙ７３、Ｅｙ８１〜Ｅｙ８３についても同様に接続され、それぞれ、１本の電極として扱うことができる。
【００９７】
Ｙ軸方向電極パターン、および、アンテナパターンＡｎｔ＿ｐ３１は、共存導電層Ｌ＿Ｙ＿Ａｎｔに形成されており、Ｙ軸方向電極パターン、および、アンテナパターンを接続するための配線（配線パターン）も、共存導電層Ｌ＿Ｙ＿Ａｎｔの額縁領域に配置されている。
【００９８】
アンテナパターンＡｎｔ＿ｐ３１は、図８に示すように、平面視で、１重ループアンテナを構成することができるように、形成されている。
【００９９】
具体的には、アンテナパターンＡｎｔ＿ｐ３１は、図８に示すように、平面視で、Ｙ軸方向に延設して形成されている部分Ｅ１ａと、斜め方向（図８の左斜め上方向）に延設して形成されている部分Ｅ１ｂと、斜め方向（図８の右斜め上方向）に延設して形成されている部分Ｅ１ｃと、斜め方向（図８の右斜め下方向）に延設して形成されている部分Ｅ１ｄと、斜め方向（図８の左斜め下方向）に延設して形成されている部分Ｅ１ｅと、から構成されている。
【０１００】
パターンＡｎｔ＿ｐ３１は、共存導電層Ｌ＿Ｙ＿Ａｎｔ（アンテナパターンとＹ軸方向電極との共存導電層）に形成されている。
【０１０１】
パターンＡｎｔ＿ｐ３１は、図８に示すように、Ｙ軸方向電極パターンが形成されていない領域に配置されている。
【０１０２】
パターンＡｎｔ＿ｐ３１は、斜め方向に延設する部分Ｅ１ｂ、Ｅ１ｃ、Ｅ１ｄ、Ｅ１ｅを有しているので、平面視において、斜め方向に延設する部分Ｅ１ｂ、Ｅ１ｃ、Ｅ１ｄ、Ｅ１ｅと、Ｘ軸方向電極層Ｌ＿Ｘにおいて、Ｘ軸方向に平行に形成されているＸ軸方向電極パターンとが重なる領域を小さくすることができる。その結果、パターンＡｎｔ＿ｐ３１からＸ軸方向電極パターンに誘発されるノイズを低減することができる。
【０１０３】
図８に示す端子ｐａ２、ｐａ３は、導線を介して、整合部２１に接続される。このように接続することで、本実施形態のタッチパネル付き表示装置において、アンテナパターンＡｎｔ＿ｐ３１を用いて、ループアンテナを構成することができる。
【０１０４】
上記のように、本実施形態のタッチパネル付き表示装置では、平面視において、アンテナパターンとＸ軸方向電極パターンとが平行となる部分が少なくなるように構成されている。これにより、本実施形態のタッチパネル付き表示装置では、アンテナパターン（アンテナパターンＡｎｔ＿ｐ３１）からＸ軸方向電極パターンに誘発されるノイズを効果的に低減させることができる。
【０１０５】
また、本実施形態のタッチパネル付き表示装置では、上記のようにアンテナパターン（アンテナパターンＡｎｔ＿ｐ３１）を配置することで、ループ径の大きなループアンテナを簡単に実現することができる。
【０１０６】
さらに、本実施形態のタッチパネル付き表示装置では、アンテナパターン（アンテナパターンＡｎｔ＿ｐ３１）と、Ｙ軸方向電極パターンとが、１つの層、すなわち、共存導電層Ｌ＿Ｙ＿Ａｎｔに形成されているので、アンテナパターン用の層を別途設ける必要がない。その結果、本実施形態のタッチパネル付き表示装置では、製造コストを低減させることができる。
【０１０７】
［第４実施形態］
次に、第４実施形態について、図面を参照しながら、以下、説明する。
【０１０８】
図１０は、第４実施形態の共存電極層Ｌ＿Ｙ＿Ａｎｔの平面図（表示面の上方から見た平面図）である。
【０１０９】
図１１は、第４実施形態の共存電極層Ｌ＿Ｙ＿Ａｎｔの一部を拡大して示した平面図（表示面の上方から見た平面図）である。
【０１１０】
図１０において示したように、Ｘ軸、Ｙ軸を設定する。
【０１１１】
本実施形態のタッチパネル付き表示装置は、第１実施形態のタッチパネル付き表示装置１００の共存電極層Ｌ＿Ｙ＿Ａｎｔ（図２に示した共存電極層Ｌ＿Ｙ＿Ａｎｔ）を、図１０に示した共存電極層Ｌ＿Ｙ＿Ａｎｔに置換した構成を有している。
【０１１２】
以下では、本実施形態において、第１実施形態と相違する部分について、説明する。
【０１１３】
本実施形態の共存電極層Ｌ＿Ｙ＿Ａｎｔには、図１０に示すように、Ｙ軸方向電極パターンＥｙ１１〜Ｅｙ８１、Ｅｙ１２〜Ｅｙ８２、Ｅｙ１３〜Ｅｙ８３、Ｅｙ９〜Ｅｙ１４が形成されている。
【０１１４】
また、本実施形態の共存電極層Ｌ＿Ｙ＿Ａｎｔには、図１０に示すように、六角形アンテナパターン（平面視において、六角形の形状を有するパターンアンテナ）を構成するためのアンテナパターンＡｎｔ＿ｐ４１、Ａｎｔ＿ｐ４２が形成されている。
【０１１５】
Ｙ軸方向電極パターンは、図１０に示すように、それぞれ、縦方向（Ｙ軸方向）に細長い形状を有する。そして、（１）Ｙ軸方向電極パターンＥｙ１１からＥｙ８１とＹ軸方向電極パターンＥｙ１２からＥｙ８２との間の領域と、（２）Ｙ軸方向電極パターンＥｙ１２からＥｙ８２とＹ軸方向電極パターンＥｙ１３からＥｙ８３との間の領域と、に、六角形パターンアンテナを構成するためのアンテナパターンＡｎｔ＿ｐ４１、Ａｎｔ＿ｐ４２とを配置するための領域が設けられている。
【０１１６】
つまり、図１０に示すように、アンテナパターンＡｎｔ＿ｐ４１の斜め延設部Ｆ１ｂ、Ｆ１ｄ、Ｆ１ｅ、および、Ｆ１ｇを配置できる領域を確保できるように、Ｙ軸方向電極パターンＥｙ１１〜Ｅｙ８１、Ｅｙ１２〜Ｅｙ８２、Ｅｙ１３〜Ｅｙ８３が配置される。
【０１１７】
また、図１０に示すように、アンテナパターンＡｎｔ＿ｐ４２の斜め延設部Ｇ１ｂ、Ｇ１ｄ、Ｇ１ｅ、および、Ｇ１ｇを配置できる領域を確保できるように、Ｙ軸方向電極パターンＥｙ１１〜Ｅｙ８１、Ｅｙ１２〜Ｅｙ８２、Ｅｙ１３〜Ｅｙ８３が配置される。
【０１１８】
図１１は、第４実施形態の共存電極層Ｌ＿Ｙ＿Ａｎｔの平面図（表示面の上方から見た平面図）の一部の拡大図である。
【０１１９】
図１１に示すように、Ｙ軸方向電極パターンは、導線（又は導電パターン）によりタッチパネルコントローラＴＣ１に接続されている。
【０１２０】
具体的には、図１に示すように、Ｙ方向電極パターンＥｙ１２、Ｅｙ２２、Ｅｙ３２、Ｅｙ４２は、それぞれ、導線ｗ’１２、ｗ’２２、ｗ’３２、ｗ’４２により、中継基板を介して回路部２に接続されている。
【０１２１】
また、図１１に示すように、Ｙ方向電極パターンＥｙ５２、Ｅｙ６２、Ｅｙ７２、Ｅｙ８２は、それぞれ、導線ｗ’５２、ｗ’６２、ｗ’７２、ｗ’８２により、中継基板を介して回路部２に接続されている。
【０１２２】
そして、回路部２の基板上で、Ｙ方向電極パターンＥｙ１１、Ｅｙ１２、Ｅｙ１３は、電気的に接続されている。これにより、Ｙ方向電極パターンＥｙ１１、Ｅｙ１２、Ｅｙ１３は、１本の電極として扱うことができる。
【０１２３】
Ｙ方向電極パターンＥｙ２１〜Ｅｙ２３、Ｅｙ３１〜Ｅｙ３３、Ｅｙ４１〜Ｅｙ４３、Ｅｙ５１〜Ｅｙ５３、Ｅｙ６１〜Ｅｙ６３、Ｅｙ７１〜Ｅｙ７３、Ｅｙ８１〜Ｅｙ８３についても同様に接続され、それぞれ、１本の電極として扱うことができる。
【０１２４】
Ｙ軸方向電極パターン、および、アンテナパターンＡｎｔ＿ｐ４１、Ａｎｔ＿ｐ４２は、共存導電層Ｌ＿Ｙ＿Ａｎｔに形成されており、Ｙ軸方向電極パターン、および、アンテナパターンを接続するための配線（配線パターン）も、共存導電層Ｌ＿Ｙ＿Ａｎｔの額縁領域に配置されている。
【０１２５】
アンテナパターンＡｎｔ＿ｐ４１、アンテナパターンＡｎｔ＿ｐ４２は、図１０に示すように、平面視で、２重ループアンテナを構成することができるように、形成されている。
【０１２６】
具体的には、アンテナパターンＡｎｔ＿ｐ４１は、図１０に示すように、平面視で、Ｙ軸方向に延設して形成されている部分Ｆ１ａと、斜め方向（図１０の左斜め上方向）に延設して形成されている部分Ｆ１ｂと、Ｙ軸方向に延設して形成されている部分Ｆ１ｃと、斜め方向（図１０の右斜め上方向）に延設して形成されている部分Ｆ１ｄと、斜め方向（図１０の右斜め下方向）に延設して形成されている部分Ｆ１ｅと、Ｙ軸方向に延設して形成されている部分Ｆ１ｆと、斜め方向（図１０の左斜め下方向）に延設して形成されている部分Ｆ１ｇと、Ｙ軸方向に延設して形成されている部分Ｆ１ｈと、から構成されている。
【０１２７】
アンテナパターンＡｎｔ＿ｐ４２は、図１０に示すように、平面視で、Ｙ軸方向に延設して形成されている部分Ｇ１ａと、斜め方向（図１０の左斜め上方向）に延設して形成されている部分Ｇ１ｂと、Ｙ軸方向に延設して形成されている部分Ｇ１ｃと、斜め方向（図１０の右斜め上方向）に延設して形成されている部分Ｇ１ｄと、斜め方向（図１０の右斜め下方向）に延設して形成されている部分Ｇ１ｅと、Ｙ軸方向に延設して形成されている部分Ｇ１ｆと、斜め方向（図１０の左斜め下方向）に延設して形成されている部分Ｇ１ｇと、Ｙ軸方向に延設して形成されている部分Ｆ１ｈと、から構成されている。
【０１２８】
パターンＡｎｔ＿ｐ４１、および、アンテナパターンＡｎｔ＿ｐ４２は、共存導電層Ｌ＿Ｙ＿Ａｎｔ（アンテナパターンとＹ軸方向電極との共存導電層）に形成されている。
【０１２９】
そして、パターンＡｎｔ＿ｐ４１、および、アンテナパターンＡｎｔ＿ｐ４２は、図１０に示すように、互いに、離間されて配置されている。さらに、パターンＡｎｔ＿ｐ４１、および、アンテナパターンＡｎｔ＿ｐ４２は、図１０に示すように、Ｙ軸方向電極パターンが形成されていない領域に配置されている。
【０１３０】
パターンＡｎｔ＿ｐ４１は、斜め方向に延設する部分Ｆ１ｂ、Ｆ１ｄ、Ｆ１ｅ、Ｆ１ｇを有しているので、平面視において、斜め方向に延設する部分Ｆ１ｂ、Ｆ１ｄ、Ｆ１ｅ、Ｆ１ｇと、Ｘ軸方向電極層Ｌ＿Ｘにおいて、Ｘ軸方向に平行に形成されているＸ軸方向電極パターンとが重なる領域を小さくすることができる。その結果、パターンＡｎｔ＿ｐ４１からＸ軸方向電極パターンに誘発されるノイズを低減することができる。
【０１３１】
パターンＡｎｔ＿ｐ４２は、斜め方向に延設する部分Ｇ１ｂ、Ｇ１ｄ、Ｇ１ｅ、Ｇ１ｇを有しているので、平面視において、斜め方向に延設する部分Ｇ１ｂ、Ｇ１ｄ、Ｇ１ｅ、Ｇ１ｇと、Ｘ軸方向電極層Ｌ＿Ｘにおいて、Ｘ軸方向に平行に形成されているＸ軸方向電極パターンとが重なる領域を小さくすることができる。その結果、パターンＡｎｔ＿ｐ４２からＸ軸方向電極パターンに誘発されるノイズを低減することができる。
【０１３２】
図１０に示すように、アンテナパターンＡｎｔ＿ｐ４２は、導線（又は導電パターン）を介して、アンテナパターンＡｎｔ＿ｐ４２用の接続端子ｐａ２、ｐａ３に、アンテナパターンＡｎｔ＿ｐ４１は、アンテナパターンＡｎｔ＿ｐ４１用の接続端子ｐａ１、ｐａ４に接続されている。
【０１３３】
端子ｐａ１と端子ｐａ３とが導線で接続されており、これにより、端子ｐａ４−アンテナパターンＡｎｔ＿ｐ４１―端子ｐａ１―端子ｐａ３―アンテナパターンＡｎｔ＿ｐ４２―端子ｐａ２の順で、２重らせん（２回巻らせん）のアンテナパターンが形成される。
【０１３４】
２重らせん（２回巻らせん）のアンテナパターンの両端の端子、ｐａ２、ｐａ４は、導線を介して、整合部２１に接続されている。
【０１３５】
上記のように、本実施形態のタッチパネル付き表示装置では、平面視において、アンテナパターンとＸ軸方向電極パターンとが平行となる部分が少なくなるように構成されている。これにより、本実施形態のタッチパネル付き表示装置では、アンテナパターン（アンテナパターンＡｎｔ＿ｐ４１、Ａｎｔ＿ｐ４２）からＸ軸方向電極パターンに誘発されるノイズを効果的に低減させることができる。
【０１３６】
また、本実施形態のタッチパネル付き表示装置では、上記のようにアンテナパターン（アンテナパターンＡｎｔ＿ｐ４１、Ａｎｔ＿ｐ４２）を配置することで、ループ径の大きなループアンテナを簡単に実現することができる。
【０１３７】
さらに、本実施形態のタッチパネル付き表示装置では、アンテナパターン（アンテナパターンＡｎｔ＿ｐ４１、Ａｎｔ＿ｐ４２）と、Ｙ軸方向電極パターンとが、１つの層、すなわち、共存導電層Ｌ＿Ｙ＿Ａｎｔに形成されているので、アンテナパターン用の層を別途設ける必要がない。その結果、本実施形態のタッチパネル付き表示装置では、製造コストを低減させることができる。
【０１３８】
［他の実施形態］
上記実施形態のタッチパネル付き表示装置において、アンテナパターンとタッチパネル用のＹ軸方向電極パターンとが共存する層を設ける場合について説明したが、これに限定されることはなく、アンテナパターンとタッチパネル用のＸ軸方向電極パターンとが共存する層を設けるようにしてもよい。
【０１３９】
また、タッチパネル用のＸ軸方向電極パターンが形成される層と、タッチパネル用のＹ軸方向電極パターンが形成される層との両方の層において、アンテナパターンを形成するようにしてもよい。
【０１４０】
また、上記実施形態の一部または全部を組み合わせて、タッチパネル付き表示装置を実現するようにしてもよい。
【０１４１】
また、上記実施形態では、１重のループアンテナ、あるいは、２重のループアンテナを構成する場合について、説明したが、これに限定されることはなく、タッチパネル付き表示装置において、Ｎ重（Ｎ：自然数、Ｎ≧２）のループアンテナを構成するようにしてもよい。
【０１４２】
また、上記実施形態では、タッチパネル付き表示装置において、１つのループアンテナを構成する場合について、説明したが、これに限定されることはなく、タッチパネル付き表示装置において、Ｎ個（Ｎ：自然数、Ｎ≧２）のループアンテナを構成するようにしてもよい。
【０１４３】
また、上記実施形態において、構成部材のうち、上記実施形態に必要な主要部材のみを簡略化して示している。したがって、上記実施形態において明示されなかった任意の構成部材を備えうる。また、上記実施形態および図面において、各部材の寸法は、必ずしも実際の寸法および寸法比率等を忠実に表しているわけではない。したがって、本発明の趣旨を逸脱しない範囲で寸法や寸法比率等の変更は可能である。
【０１４４】
なお、本発明の具体的な構成は、前述の実施形態に限られるものではなく、発明の要旨を逸脱しない範囲で種々の変更および修正が可能である。
【０１４５】
［付記］
なお、本発明は、以下のようにも表現することができる。
【０１４６】
第１の発明は、第１電極層と、第２電極層と、を備えるタッチパネル用デバイスである。
【０１４７】
第１電極層は、タッチパネル用の第１センサー電極パターンを含む。
【０１４８】
第２電極層は、タッチパネル用の第２センサー電極パターンとアンテナパターンとを含み、平面視において、アンテナパターンの少なくとも一部が、第１センサー電極パターンと斜めに交差するように配置されている。
【０１４９】
このタッチパネル用デバイスでは、平面視において、アンテナパターンの少なくとも一部が、第１センサー電極パターンと斜めに交差するように配置されている。つまり、このタッチパネル用デバイスでは、アンテナパターンアンテナパターンと第１センサー電極パターンとが平行となる部分が少なくなるように構成されている。これにより、このタッチパネル用デバイスでは、アンテナパターンから第１センサー電極パターンに誘発されるノイズを効果的に低減させることができる。
【０１５０】
さらに、このタッチパネル用デバイスでは、アンテナパターンと、第２センサー電極パターンとが、１つの層に形成されているので、アンテナパターン用の層を別途設ける必要がない。その結果、このタッチパネル用デバイスでは、製造コストを低減させることができる。
【０１５１】
第２の発明は、第１の発明であって、第２センサー電極パターンは、Ｎ個（Ｎ：自然数）の第１方向電極パターンを備える。
【０１５２】
そして、Ｎ個の第１方向電極パターンのうち、Ｋ個（Ｋ：自然数、Ｋ＜Ｎ）の第１方向電極パターンは、それぞれ、第１導電パターンと、第１導電パターンから離間して配置されている第２導電パターンとを含む。
【０１５３】
これにより、このタッチパネル用デバイスでは、離間された第１導電パターンと第２導電パターンにより、第２センサー電極パターンを構成することができる。そして、離間された第１導電パターンと第２導電パターンとの間に、アンテナパターンを配置させることができる。
【０１５４】
第３の発明は、第２の発明であって、アンテナパターンの少なくとも一部は、第１導電パターンと第２導電パターンとの間の領域に配置されている。
【０１５５】
これにより、このタッチパネル用デバイスでは、アンテナパターンの少なくとも一部を、第１導電パターンと第２導電パターンとの間の領域に配置することができる。
【０１５６】
第４の発明は、第３の発明であって、少なくとも第２電極層に接続される基板をさらに備え、第１導電パターンと前記第２導電パターンとの接続が前記基板にて行われる。
【０１５７】
第５の発明は、第４の発明であって、アンテナパターンは、平面視において、ループアンテナを形成できるように配置されている。
【０１５８】
これにより、このタッチパネル用デバイスでは、第２電極層に、ループアンテナを構成することができる。
【０１５９】
第６の発明は、第５の発明であって、第２導電パターンは、平面視において、ループアンテナが形成されている領域の内部に形成されている。
【０１６０】
これにより、このタッチパネル用デバイスでは、第２電極層において、ループアンテナが形成されている領域の内部に、第２導電パターンを設けることができる。
【０１６１】
なお、平面視において、ループアンテナが形成されている領域の内部には、少なくとも１つの第２導電パターンが形成されていることが好ましい。
【産業上の利用可能性】
【０１６２】
本発明は、アンテナが作動するときに、アンテナからタッチセンサー（タッチパネル用電極）に誘発されるノイズを適切に低減し、かつ、製造コストを低減させることができるタッチパネル用デバイスを実現することができる。したがって、本発明は、タッチパネル関連産業分野において、有用であり、当該分野において実施することができる。
【符号の説明】
【０１６３】
１００  タッチパネル付き表示装置（タッチパネル用デバイス）
１  筐体
２  回路部
２１  整合部
２２  アンテナ駆動部
ＤＰ  表示パネル
Ｌ＿Ｙ＿Ａｎｔ  共存導電層
Ｌ＿Ｘ  Ｘ軸方向電極層
Ａｎｔ＿ｐ１、Ａｎｔ＿ｐ２、Ａｎｔ＿ｐ２１、Ａｎｔ＿ｐ２２、Ａｎｔ＿ｐ３１、Ａｎｔ＿ｐ４１、Ａｎｔ＿ｐ４２、  アンテナパターン
【図１】
2017119442.tif 000003
【図２】
2017119442.tif 000004
【図３】
2017119442.tif 000005
【図４】
2017119442.tif 000006
【図５】
2017119442.tif 000007
【図６】
2017119442.tif 000008
【図７】
2017119442.tif 000009
【図８】
2017119442.tif 000010
【図９】
2017119442.tif 000011
【図１０】
2017119442.tif 000012
【図１１】
2017119442.tif 000013
【図１２】
2017119442.tif 000014
【図１３】
2017119442.tif 000015
【手続補正書】
【提出日】平成30年6月26日(2018.6.26)
【手続補正１】
【補正対象書類名】特許請求の範囲
【補正対象項目名】全文
【補正方法】変更
【補正の内容】
【特許請求の範囲】
【請求項１】
タッチパネル用の第１センサー電極パターンを含む第１電極層と、タッチパネル用の第２センサー電極パターンとアンテナパターンとを含む第２電極層であって、平面視において、前記アンテナパターンの少なくとも一部が、前記第１センサー電極パターンと斜めに交差するように配置されている前記第２電極層とを有する第１基板と、
前記第１基板に接続される第２基板であって、少なくとも前記第２電極層に接続される第２基板とを備え、
前記第２センサー電極パターンは、Ｎ個（Ｎ：自然数）の第１方向電極パターンを備え、
前記Ｎ個の第１方向電極パターンのうち、Ｋ個（Ｋ：自然数、Ｋ＜Ｎ）の第１方向電極パターンは、それぞれ、第１導電パターンと、前記第１導電パターンから離間して配置されている第２導電パターンとを含み、
前記アンテナパターンの少なくとも一部は、前記第１導電パターンと前記第２導電パターンとの間の領域に配置され、
前記第１導電パターンと前記第２導電パターンとは、前記第２基板において電気的に接続されている、タッチパネル用デバイス。
【請求項２】
前記アンテナパターンは、平面視において、ループアンテナを形成できるように配置されている、
請求項１に記載のタッチパネル用デバイス。
【請求項３】
前記第２導電パターンは、平面視において、前記ループアンテナが形成されている領域の内部に形成されている、
請求項２に記載のタッチパネル用デバイス。
【国際調査報告】
2017119442.tif 000016
2017119442.tif 000017